(57)【要約】【課題】ミネラルを含む岩石の粉末及び／又は粒子より成るミネラル水製造用材料を水に浸漬させ、ミネラルを溶出させるに適した形態のミネラル水の製造具を提供する。【解決手段】ミネラルが含まれる岩石の粉末３ａ及び／又は粒子３ｂから成るミネラル水製造用材料３が収容される不織布で成る袋４が、圧縮コイルばね７に収容され、さらにリング状に構成されたミネラル水製造具８が水１が充填される容器１に浸漬される。ミネラルが溶出され、ミネラル水が得られる。【選択図】        図１
2005007364.tif 000002
【特許請求の範囲】
【請求項１】
外皮全面に炭化物質が点状にプリントされる不織布より成り、ミネラル水製造用材料が収容される袋と、
一端部の外径が他端部の内径より小さく先細形状に形成され、前記一端部が予め捩られた状態で前記他端部の内径内に挿入され、前記一端部の復元力により前記他端部と連結されて、リング状に形成され、前記袋が収容される圧縮コイルばねと、から成ることを特徴とするミネラル水の製造具。
【請求項２】
前記炭化物質は、備長炭である請求項１記載のミネラル水の製造具。
【請求項３】
前記圧縮コイルばねの材料は、ステンレス鋼である請求項１記載のミネラル水の製造具。
【請求項４】
外皮全面に炭化物質が点状にプリントされる不織布より成り、ミネラル水製造用材料が収容される袋と、
円筒形の外周部全面に複数の孔が設けられ或いはメッシュ状に構成され、蓋により密封できる開口部が両端部に設けられ、前記袋が収容される円筒容器と、から成ることを特徴とするミネラル水の製造具。
【請求項５】
前記炭化物質は、備長炭である請求項４記載のミネラル水の製造具。
【請求項６】
前記円筒容器の材料は、ステンレス鋼である請求項４記載のミネラル水の製造具。
【発明の詳細な説明】
【０００１】
【発明の属する技術分野】
本発明は、ミネラルを含有する岩石の微細粒からミネラル水を製造するミネラル水製造具に関する。
【０００２】
【従来の技術】
従来、特表２００２−５３８０５１（特許文献１）において、ミネラルバスキットが提案されている。この従来例は、地表から採掘されたチップや小さい岩石の形のミネラルを収容し、水浸透可能なバッグが温水中に置かれて天然の元素をミネラルから染み出させるための水浸透可能なバッグ、及び水容器中に置かれた水に染み出すように水容器に備えらたハンガーを有する。水浸透可能なバッグは、合成メッシュ材料、パイル織物、テリークロスなどから形成される。使用されるミネラルは、好適には、石英、デピドライト（紅雲母）、マイカなどであり、人体に治癒作用を有する元素が水浸透可能なバッグを通ってミネラルから染み出るとしている。
【０００３】
【特許文献１】
特表２００２−５３８０５１公報（特許請求の範囲、００１６，００２１、図１、図２）
【０００４】
【発明が解決しようとする課題】
そこで、本発明は、ミネラルを含む岩石の粉末及び／又は粒子より成るミネラル水製造用材料を水に浸漬させ、ミネラルを溶出させるに適した形態のミネラル水の製造具を提供することを目的とする。
【０００５】
【課題を解決するための手段】
【０００６】
請求項１の本発明は、外皮全面に炭化物質が点状にプリントされる不織布より成り、ミネラル水製造用材料が収容される袋と、
一端部の外径が他端部の内径より小さく先細形状に形成され、前記一端部が予め捩られた状態で前記他端部の内径内に挿入され、前記一端部の復元力により前記他端部と連結されて、リング状に形成され、前記袋が収容される圧縮コイルばねと、から成ることを特徴とするミネラル水の製造具である。
【０００７】
請求項２の本発明は、前記炭化物質は、備長炭である請求項１記載のミネラル水の製造具である。
【０００８】
請求項３の本発明は、前記圧縮コイルばねの材料は、ステンレス鋼である請求項１記載のミネラル水の製造具である。
【０００９】
請求項４の本発明は、外皮全面に炭化物質が点状にプリントされる不織布より成り、ミネラル水製造用材料が収容される袋と、
円筒形の外周部全面に複数の孔が設けられ或いはメッシュ状に構成され、蓋により密封できる開口部が両端部に設けられ、前記袋が収容される円筒容器と、から成ることを特徴とするミネラル水の製造具である。
【００１０】
請求項５の本発明は、前記炭化物質は、備長炭である請求項４記載のミネラル水の製造具である。
【００１１】
請求項６の本発明は、前記円筒容器の材料は、ステンレス鋼である請求項４記載のミネラル水の製造具である。
【００１２】
請求項１の本発明によれば、図３に示されるように、袋４は、外皮全面に炭化物質２が点状にプリントされる不織布より成り、ミネラル水製造用材料３が収容される。又、図２に示されるように、圧縮コイルばね７は、一端部５の外径５ａが他端部６の内径６ａより小さく先細形状に形成され、一端部５が予め捩られた状態で他端部６の内径６ａ内に挿入され、一端部５の復元力により他端部６と連結されて、リング状に構成され、袋４が収容される。
このため、岩石の粉末３ａ及び／又は粒子３ｂは、袋４内に確実に封入される。又、ミネラル水製造用材料３が収容された圧縮コイルばね７は、種々の収容形態を選択することが可能である。
【００１３】
請求項２の本発明によれば、図３に示されるように、炭化物質２は、備長炭である。
このため、水１が添加されることにより、炭化物質２からミネラルが溶出され、弱アルカリ性イオンにより活性酸素が抑えられる。また、残留塩素の除去等の効果も生ずる。
【００１４】
請求項３の本発明によれば、図１、図２に示されるように圧縮コイルばねの材料は、ステンレス鋼である。
このため、圧縮コイルばねは水に浸漬されても腐食せず、長期間の使用に耐え得る。
【００１５】
請求項４の本発明によれば、図４、図５に示されるように、袋４が収容される円筒容器１６，１７は、円筒形の外周部９全面に複数の孔１０が設けられ或いはメッシュ状１１に構成され、蓋１２，１３により密封できる開口部１４ａ，１５ａが両端部１４，１５に設けられる。
このため、携帯用容器等の小型の形態用途にも適用が可能である。
【００１６】
請求項５の本発明によれば、図３に示されるように、炭化物質は、備長炭である。
このため、水１が添加されることにより、炭化物質２からミネラルが溶出され、弱アルカリ性イオンにより活性酸素が抑えられる。また、残留塩素の除去等の効果も生ずる。
【００１７】
請求項６の本発明によれば、図４、図５に示されるように、円筒容器の材料は、ステンレス鋼である。
このため、円筒容器は水に浸漬されても腐食せず、長期間の使用に耐え得る
【００１８】
【発明の実施の形態】
以下、本発明を、図面を参照して、その実施の形態に基づいて説明する。
本発明の一実施の形態は、図２、図３に示されるように、ミネラル水製造具８を構成する袋４は、伸縮性と通気性に優れた不織布より成る。材質は特に限定されない。その外皮２全面に炭化物質２ａ、好適には備長炭の小片が点状に印刷、固着される。袋４内にはミネラル水製造用材料８として、いわゆる『薬石』の含有元素が含まれる岩石の微粉末が収納される。
【００１９】
次に、ミネラル水製造用材料８が収容された袋４は、図２（ａ）、図２（ｃ）に示されるように、一端部５の外径５ａが他端部６の内径６ａより小さく先細形状に形成される圧縮コイルばね７内に収容され、さらに、一端部５が予め捩られた状態で他端部６の内径６ａ内に挿入され、一端部５の復元力により他端部６と連結されてミネラル水製造具８はリング状に構成される。又、図２（ｂ）に示されるように、圧縮コイルばね７の一端部５と他端部６の連結部分を化粧用連結金具１８で覆うこともできる。  図１に示されるように、ミネラル水製造具８は水１が充填される容器１９内に浸漬される。ミネラル水製造具８は可撓性を有するため、容器１９の形状、寸法や材質は限定されない。又、圧縮コイルばね７は、リング状以外に、直線状を含む他の形態も可能である。
このため、岩石の粉末３ａ及び／又は粒子３ｂは、水１に溶けて上記ミネラルのエキスが溶出される。岩石の粉末３ａ及び／又は粒子３ｂから遠赤外線の育成光線が放射され、又、Ｍｇが水と反応して水素が発生されることにより、微細なクラスターを有するミネラル水が得られる。従って、飲料水等の形態で摂取することにより生体の免疫力が高まり、体の健康バランスを整えることに寄与できる。
【００２０】
本発明の他の実施の形態は、図４に示されるように、ミネラル水製造用材料８が封入された袋４が収容される円筒容器１６の材料は、好適にはステンレス鋼である。円筒形の外周部９全面に設けられる複数の孔１０は、ミネラル水製造用材料８からの溶出や水素発生反応が果たされれば良く、その形状、寸法、数は限定されない。又、図５に示されるように、メッシュ状１１に構成される容器１７も用途により可能である。ミネラル水製造用材料８が封入された袋４が収容され、両端部１４，１５は、それぞれ蓋１２，１３により密封される。
このため、携帯用容器等の小型の形態用途にも適用が可能である。
【００２１】
【発明の効果】
本発明は、以上説明したように、ミネラルを含む岩石の粉末及び／又は粒子より成るミネラル水製造用材料を水に浸漬させ、ミネラルを溶出させるに適した形態であるという効果を奏する。
【図面の簡単な説明】
【図１】本発明の一実施の形態の部分断面図である。
【図２】図２（ａ）は本発明の一実施の形態を構成する製造具の部分斜視図である。
図２（ｂ）は本発明の一実施の形態を構成する圧縮コイルばね連結部の平面図である。
図２（ｃ）は本発明の一実施の形態を構成する圧縮コイルばねの両端部の平面図である。
図２（ｄ）は図２（ｂ）のＡ矢視断面図である。
図２（ｅ）は本発明の一実施の形態を構成する化粧用固定金具の斜視図である。
【図３】本発明の一実施の形態を構成する袋の斜視図である。
【図４】本発明の他の実施の形態の平面図である。
【図５】本発明の他の実施の形態の平面図である。
【符号の説明】
１  水                    ２  外皮            ２ａ    炭化物質
３  ミネラル水製造用材料  ３ａ  岩石の粉末      ３ｂ  岩石の粒子
４  袋            ５  圧縮コイルばねの一端    ５ａ  開口部
６  圧縮コイルばねの他端    ６ａ  開口部          ７  圧縮コイルばね
８  ミネラル水製造具      ９  外周部          １０  孔
１１  メッシュ状外周部    １２、１３  蓋      １４、１５  両端部
１４ａ、１５ａ    開口部    １６、１７  円筒容器      １８  化粧用固定金具
１９容器
【図１】
2005007364.tif 000003
【図２】
2005007364.tif 000004
【図３】
2005007364.tif 000005
【図４】
2005007364.tif 000006
【図５】
2005007364.tif 000007